(57)【要約】      （修正有）【課題】オムツに直接設置するので使用上極めて便利なオムツ用の警告装置を提供する。【解決手段】基板２４を包含し、陽極２６は基板２４の表面を覆い、陰極３０は基板２４の表面を覆い且つ陽極２６との間に隙間３５を形成し、吸水層３６は基板２４の表面を覆い且つ陽極２６および陰極３０に接続され、ならびに警報器３８は陽極２６および陰極３０に電気的に接続される。また、吸水層３６は、電解質を内に含む高分子材料でできているため、一度水分を吸収すると、吸水層中３６の電解質のイオンが移動することにより、陽極２６および陰極３０によって電池を形成し、警報器３８が駆動し警告を発する。【選択図】図２
0003135325.tif 000002
【実用新案登録請求の範囲】
【請求項１】
基板と、陽極と、陰極と、吸水層と、警報器とを備え、
陽極は、当該基板の表面を覆い、
陰極は、当該基板の表面を覆い且つ当該陽極との間に隙間を形成し、
吸水層は、当該基板の表面を覆い且つ当該陽極および陰極に接続され、当該吸水層は電解質を内に含む高分子材料により構成され、
警報器は、当該陽極および当該陰極に電気的に接続されることを特徴とするオムツ用警告装置。
【請求項２】
陽極と、陰極と、吸水層と、警報器とを備え、
吸水層は、当該陽極と陰極の間に設置し、当該吸水層は電解質を内に含む高分子材料により構成され、
警報器は、当該陽極、当該陰極に電気的に接続されることを特徴とするオムツ用警告装置。
【請求項３】
当該陽極は、二酸化マンガン（ＭｎＯ２）、炭素（Ｃ）、酸化銀（Ａｇ２Ｏ）もしくは過酸化銀（ＡｇＯ）により構成されることを特徴とする請求項１または２記載のオムツ用警告装置。
【請求項４】
当該陽極は、高分子層、導電性炭素粉末を包含し、二酸化マンガン（ＭｎＯ２）、炭素（Ｃ）、酸化銀（Ａｇ２Ｏ）もしくは過酸化銀（ＡｇＯ）の粉末は当該高分子層中に分布することを特徴とする請求項１または２記載のオムツ用警告装置。
【請求項５】
当該陰極は、亜鉛（Ｚｎ）又は亜鉛の合金により構成されることを特徴とする請求項１または２記載のオムツ用警告装置。
【請求項６】
当該陰極は、高分子層、導電性炭素粉末を含み、亜鉛もしくは亜鉛合金粉末は当該高分子層中に分布することを特徴とする請求項１または２記載のオムツ用警告装置。
【請求項７】
当該吸水層の電解質は、水酸化ナトリウム（ＮａＯＨ）、水酸化カリウム（ＫＯＨ）、水酸化リチウム（ＬｉＯＨ）もしくは水酸化マグネシウム（Ｍｇ（ＯＨ）２）であることを特徴とする請求項１または２記載のオムツ用警告装置。
【請求項８】
当該吸水層の高分子材料は、ポリビニールアルコール（ＰＶＡ：polyvinyl alcohol）、ポリ酢酸ビニル（ＰＶＡｃ：polyvinylacetate）、ポリアクリル樹脂（polyacrylate resin）、ポリアクリル酸ナトリウム（sodium polyacrylate）、ポリアクリル酸塩（salt polyacrylate）もしくは帯電性の多糖類（charged polysaccharides）であることを特徴とする請求項１または２記載のオムツ用警告装置。
【請求項９】
当該警報器は、発光警報器、音を発する警報器もしくは無線信号発射器であることを特徴とする請求項１または２記載のオムツ用警告装置。
【請求項１０】
更に貼付け層を含み、当該貼付け層は当該基板の底面に設置されることを特徴とする請求項１記載のオムツ用警告装置。
【請求項１１】
請求項１または２記載のオムツ用警告装置を用いたオムツ。
【考案の詳細な説明】
【技術分野】
【０００１】
本考案はオムツに関するものであり、特にオムツの警告装置を指し、オムツが湿ると警告音または警告光を発することができる、もしくは無線信号を発し離れた場所の受信機に知らせるオムツ用警告装置に関するものである。
【背景技術】
【０００２】
従来、一般的にオムツには警告装置はついておらず、介護者は使用者の状態を観察したりにおいをかいだりしなければならず、果てにはオムツを開けて見ることで、交換が必要なのかがわかるものであり、使用が不便である。
【０００３】
この問題を解決するため、電池と警告器をセットにしたオムツを世に問うたが、オムツが湿った時、オムツ上のセンサーがショートすることもあり、および警告器が音もしくは光を発するようにさせることで、介護者にオムツを交換するよう警告するのだが、センサーをオムツに設置する以外に、電池及び警告器はどちらも当該オムツに外付けされ、オムツ交換時に電池及び警告器を取り外し、その上新たに新しいオムツにつながなければならないため使用上相当不便であり、且つ電池の寿命にも限りがあり、定期的に交換が必要となり、更に使用上の煩わしさが増す。
【考案の開示】
【考案が解決しようとする課題】
【０００４】
本考案の目的の一つは、オムツ用の警告装置を提供するところにあり、オムツに直接設置するため、使用上極めて便利である。
本考案の別の目的は、オムツ用の警告装置を提供するところにあり、その電池の保存期限は極めて長く、使用者は電池の電力が尽きるのを心配する必要がない。
【０００５】
本考案のもう一つの目的は、オムツ用の警告装置を提供するところにあり、それは尿による湿りを警告することができるだけでなく、更に水分による湿りを警告することができる。
【課題を解決するための手段】
【０００６】
前述の目的を達するために、本考案の提供するオムツ用の警告装置は基板を包含し、陽極は当該基板の表面を覆い、陰極は当該基板の表面を覆い且つ当該陽極との間に隙間を形成し、吸水層は当該基板の表面を覆い且つ当該陽極および当該陰極に接続され、ならびに警報器は当該陽極および当該陰極に電気的に接続される。また、当該吸水層は、電解質を内に含む高分子材料でできているため、一度水分を吸収すると、吸水層中の電解質のイオンが移動することにより、陽極および陰極によって電池を形成し、警報器が駆動し警告を発する。
【考案を実施するための最良の形態】
【０００７】
以下、本考案の実施例を図面に基づいて説明する。
（第１実施例）
本考案の第１実施例を図１から３に示す。オムツ用警告装置１０は、基板２４、陽極２６、陰極３０、吸水層３６及び警報器３８を含み、当該オムツ用警告装置１０はオムツ２０上に設置される。
【０００８】
当該オムツ２０は、水を通すことのできる表層２１、吸水することのできる図示しない内層および漏れ防止の底層２３を有し、当該内層は人体の尿等排泄物を吸収することができる。
当該基板２４は、当該オムツ２０の内層に設置され、且つ当該オムツ２０は尿を受けやすい位置にあり、当該基板２４は弾性を有する材質で構成してもよく、これにより使用者の不快感を避け、採用できる材質は例えば紙、炭素繊維織布もしくはポリエチレンテレフタレート（ＰＥＴ：Polyethylene terephthalate）等プラスチック材料である。
【０００９】
当該陽極２６は、当該基板２４の表面を覆い且つ櫛状を呈する。当該陽極２６は、高分子層２７、導電性炭素粉末２８および二酸化マンガン（ＭｎＯ２）粉末２９により成り、そのうち導電性炭素粉末２８と二酸化マンガン粉末２９は当該高分子層２７中にむらなく分布し、実際の製造時、導電性炭素粉末２８と二酸化マンガン粉末２９を液態の高分子材料中に加え入れむらなく撹拌し、更に当該基板２４の表面に塗布し、当該高分子材料が凝固した後当該陽極２６を形成する。そのうち、二酸化マンガン粉末は炭素（Ｃ）、酸化銀（Ａｇ２Ｏ）もしくは過酸化銀（ＡｇＯ）の粉末で代替してもよく、ひいては物理気相成長、化学気相成長もしくは電気メッキ等の方法を利用して二酸化マンガン、炭素、酸化銀、過酸化銀等材質が直接当該基板２４の表面を被覆できるようにしてもよい。
【００１０】
当該陰極３０は、当該基板２４の表面を覆い、当該陰極３０もまた櫛状を呈し且つ当該陽極２６との間に隙間３５を形成する。当該陰極３０は、高分子層３１、導電性炭素粉末３２を含み、亜鉛（Ｚｎ）粉末３３は当該高分子層３１中に分布し、その製造方式は前述陽極２６の製造方式に類似しており、そのうち亜鉛粉末もまた亜鉛合金粉末で代替してもよく、同様に、物理気相成長、化学気相成長もしくは電気メッキ等の方式を利用して亜鉛もしくは亜鉛の合金を直接当該基板２４の表面を被覆するようにし陰極３０を形成する。
【００１１】
当該吸水層３６は、当該基板２４の表面を覆い且つ当該陽極２６および当該陰極３０に接続される。当該吸水層３６は、電解質を内に含む高分子材料で作られているため、高分子材料が水分を吸収していない時は、電解質中のイオンは移動することができず、当該陽極および陰極はまだ絶縁状態にある。一方、一旦高分子材料が水分を吸入すると、電解質中のイオンは自由に動くことができ、当該陽極２６および陰極３０と当該吸水層３６とは電池を形成する。そのうち、当該電解質は、水酸化ナトリウム（ＮａＯＨ）、水酸化カリウム（ＫＯＨ）、水酸化リチウム（ＬｉＯＨ）、水酸化マグネシウム（Ｍｇ（ＯＨ）２）もしくはその他を採用することができＯＨ−由来の塩類を提供することができる。
【００１２】
当該吸水層３６の高分子材料は、ポリビニールアルコール（ＰＶＡ：polyvinyl alcohol）、ポリ酢酸ビニル（ＰＶＡｃ：polyvinylacetate）、ポリアクリル樹脂（polyacrylate resin）、ポリアクリル酸ナトリウム（sodium polyacrylate）、ポリアクリル酸塩（salt polyacrylate）もしくは帯電性多糖類（charged polysaccharides）を採用することができ、これらの高分子材料はまた当該陽極２６と当該陰極３０に応用できる。
【００１３】
当該警報器３８は、当該基板２４上に設置し且つ二つの導線３９により当該陽極２６、当該陰極３０をそれぞれ電気的につなぎ、本実施例中において当該警報器３８はブルートゥースもしくはＲＦトランスミッタのような無線信号発射器により無線信号を発射することができ、別場所の受信機で受信するのに用いられる。
【００１４】
当該オムツ２０は、乾燥時、当該吸水層３６中の電解質のイオンは固定され移動することができないため、電池の電力消耗といった問題はなく、オムツ２０の内層が尿もしくは水分を吸収すると、当該吸水層３６が吸水し湿った後、当該吸水層３６中の電解質イオンは自由に移動することができ、当該陽極２６および陰極３０の電位差により電池を形成するため、当該警報器３８が駆動して無線信号を別場所の図示しない受信機へ発して、介護人にオムツ交換を知らせることができる。
【００１５】
ここで強調したいのは、当該陽極２６および陰極３０が乾燥時は互いに絶縁して電力消耗がないということで、使用者は電池の電力がなくなることを心配する必要がなく、且つ本実施例中の当該オムツ用警告装置１０は直接オムツ２０の内部に設置するため、交換の必要がなく、従来のオムツ交換時に新たに電池と警報器を取り付けなければならないという面倒を省く。更に、当該吸水層３６中に電解質を含むため、尿等人体の排泄物の吸収時はもちろん電解質のイオンを移動させ当該陽極２６および陰極３０に電池を形成させ、吸収した水分が電解質を含んでいなくても、当該吸水層３６中の電解質のイオンを移動させることができ、当該陽極２６および陰極３０に電池を形成させ、故に本考案の応用レベルは広範となり、例えば、使用者が誤って水道水、ジュースもしくは牛乳でオムツを湿らせた時、電池を作用させることで警報器３８が駆動して信号を発し、よくある警報装置と比べて、本考案のオムツ用警告装置は使用が便利であるだけでなく、応用レベルも広範である。
【００１６】
当該オムツ用警告装置１０の設置位置は必要に応じて変化することができ、当該オムツ２０の内層と表層２１との間に設置することができ、また当該オムツ２０の表層２ｌに設置することができ、ひいては当該オムツ用警告装置１０は独立した製品という形で販売をすることもでき、使用者は必要に応じて自分で購入しオムツに貼り付けて使用することができ、市場潜在力が極めて高い。
【００１７】
（第２実施例）
本考案の第２実施例を図４に示す。
本考案によると、陽極および陰極の形状と構造には変化を加えることができる。第２実施例のオムツ用警告装置４０は、基板４１上に順序通り陽極４２、吸水層４４および陰極４６を被覆し、当該吸水層４４を当該陽極４２および陰極４６の間に位置させる。第２実施例では、第１実施例の当該吸水層３６とは異なり当該陽極２６および陰極３０頂面に位置する機能であり、この他、当該基板４１底面は更に貼付け層４８を設けてあり、使用者が当該オムツ用警告装置４０をオムツの適当な位置に貼り付けるのに用いる。
【００１８】
（第３実施例）
本考案の第３実施例を図５に示す。
第３実施例のオムツ用警告装置５０は、陽極５１、吸水層５２および陰極５４はサンドイッチ構造を形成し、当該陽極５１は導電性炭素粉末と酸化銀粉末を液態高分子材料中に混ぜ入れ、更に圧出して板状の電極チップを固形成型する。当該陰極５４は亜鉛チップであり、当該陽極５１および陰極５４は共に充分な構造的強度を有するため、故に前述の第１実施例および第２実施例のような基板は必要ない。
【００１９】
また、当該オムツは更に警報器５６を有し当該陽極５１および陰極５４と電気的につなぎ、当該警報器５６は音を発する警報機もしくは光を発する警報器となり、これにより使用者のそばにいる介護者に知らせる。実際に当該陽極５１の製造時、導電性炭素粉末と酸化銀粉末を液態高分子材料中に混ぜ入れることができ、補助板上に塗布し、高分子材料が固形成型した後、更に当該補助板を取り除き、およそ思い通りにオムツ用警告装置の構造を変化させることができる。
【図面の簡単な説明】
【００２０】
【図１】本考案の第１実施例によるオムツ用警告装置をオムツに設置した斜視図。
【図２】本考案の第１実施例によるオムツ用警告装置の概略図。
【図３】図２の３−３線に沿う断面図。
【図４】本考案の第２実施例によるオムツ用警告装置の断面図。
【図５】本考案の第３実施例によるオムツ用警告装置の概略図。
【符号の説明】
【００２１】
１０：オムツ用警告装置、２０：オムツ、２１：表層、２３：底層、２４：基板、２６：陽極、２７：高分子層、２８：導電性炭素粉末、２９：二酸化マンガン粉末、３０：陰極、３１：高分子層、３２：導電性炭素粉末、３３：亜鉛粉末、３６：吸水層、３８：警報器、３９：導線、４０：オムツ用警告装置、４ｌ：基板、４２：陽極、４４：吸水層、４６：陰極、４８：貼付け層、５０：オムツ用警告装置、５ｌ：陽極、５２：吸水層、５４：陰極、５６：警報器
【図１】
0003135325.tif 000003
【図２】
0003135325.tif 000004
【図３】
0003135325.tif 000005
【図４】
0003135325.tif 000006
【図５】
0003135325.tif 000007